(57)【特許請求の範囲】
【請求項１】
医療装置からの動画像を入力する画像入力部と、
前記医療装置からの患者情報および所定の制御情報を入力する情報入力部と、
前記画像入力部において入力した前記動画像を所定の画像記録部に対して記録するよう制御する記録制御部と、
前記情報入力部に前記患者情報が入力された否かを判断する患者情報入力判断部と、
を備え、
前記記録制御部は、前記情報入力部を介して前記所定の制御情報に係る録画開始指示を受信した際には、前記画像入力部に入力される動画像を１の動画像ファイルとして前記画像記録部への記録を開始し、当該動画像ファイルの記録開始後であってかつ所定の録画終了指示を受信するまでの間に、前記患者情報入力判断部において前記患者情報が入力されたと判断された場合には、当該患者情報の入力をトリガとして、記録継続中の当該動画像の時間軸上の位置に対応するチャプタ情報を生成すると共に、係るチャプタ情報を当該動画像ファイルに対応付けて前記画像記録部に対して記録するよう制御する
ことを特徴とする医療情報記録装置。
【請求項２】
前記記録制御部は、当該動画像ファイルの記録開始後であってかつ所定の録画終了指示を受信するまでの間に、前記患者情報入力判断部において前記患者情報が入力されたと判断された場合には、当該患者情報の入力をトリガとして、さらに、前記画像入力部に入力される動画像に係る静止画像を生成し、前記画像記録部に対して記録するよう制御する
ことを特徴とする請求項１に記載の医療情報記録装置。
【発明の詳細な説明】
【技術分野】
【０００１】
本発明は、内視鏡等の医療装置によって得られる画像を記録する医療情報記録装置に関する。
【背景技術】
【０００２】
近年、内視鏡は医療用分野等において広く採用されるようになった。内視鏡によって得られる医療画像は、診断や症例の記録のために、種々のメディアに記録される。近年、記録媒体の大容量化に伴って、内視鏡からの動画像の記録も行われるようになってきた。例えば、特許文献１においては、画像処理に応じた録画処理を行う装置が開示されている。このような医療画像の録画処理はデジタル化されており、医療画像はコンピュータによって読み出し可能なファイル形式にて保存されることがある。
【０００３】
ところで、内視鏡画像や超音波画像等の医療画像を症例として記録する場合には、医療画像の対象である患者についての情報を併せて記録した方がよい。例えば、記録したファイルがいずれの患者のものであるか分かるように、医療画像のファイル名を、患者情報に含まれる患者名や患者ＩＤ等に応じて設定することが考えられる。
【先行技術文献】
【特許文献】
【０００４】
【特許文献１】特開２００６−２７１８７１号公報
【発明の概要】
【発明が解決しようとする課題】
【０００５】
しかしながら、録画ボタンやレリーズボタンを押して録画を開始し、終了ボタンを押して録画を終了させて医療画像のファイルを生成する操作や、ファイル名を入力する操作を、術中に行うことは極めて煩雑であるという問題点があった。
【０００６】
本発明はかかる問題点に鑑みてなされたものであって、煩雑な操作を必要とすることなく、医療画像と患者情報とを対応させて記録することができる医療情報記録装置を提供することを目的とする。
【課題を解決するための手段】
【０００７】
本発明に係る一態様の医療情報記録装置は、医療装置からの動画像を入力する画像入力部と、前記医療装置からの患者情報および所定の制御情報を入力する情報入力部と、前記画像入力部において入力した前記動画像を所定の画像記録部に対して記録するよう制御する記録制御部と、前記情報入力部に前記患者情報が入力された否かを判断する患者情報入力判断部と、を備え、前記記録制御部は、前記情報入力部を介して前記所定の制御情報に係る録画開始指示を受信した際には、前記画像入力部に入力される動画像を１の動画像ファイルとして前記画像記録部への記録を開始し、当該動画像ファイルの記録開始後であってかつ所定の録画終了指示を受信するまでの間に、前記患者情報入力判断部において前記患者情報が入力されたと判断された場合には、当該患者情報の入力をトリガとして、記録継続中の当該動画像の時間軸上の位置に対応するチャプタ情報を生成すると共に、係るチャプタ情報を当該動画像ファイルに対応付けて前記画像記録部に対して記録するよう制御することを特徴とする。
【発明の効果】
【０００８】
本発明によれば、煩雑な操作を必要とすることなく、医療画像と患者情報とを対応させて記録することができるという効果を有する。
【図面の簡単な説明】
【０００９】
【図１】本発明の第１の実施の形態に係る医療情報記録装置が組み込まれた医療情報記録システムを示すブロック図。
【図２】従来技術において想定される録画方法を説明するためのタイミングチャート。
【図３】第１の実施の形態における医療画像の記録処理を説明するためのタイミングチャート。
【図４】第１の実施の形態の動作を説明するためのフローチャート。
【図５】第１の実施の形態の動作を説明するための説明図。
【図６】本発明の第２の実施の形態において採用される動作フローを示すフローチャート。
【図７】第２の実施の形態における録画方法を説明するためのタイミングチャート。
【図８】内蔵ＨＤＤ２５に記録されるファイルをファイルマネージャ等のツールによって表示した状態を示す説明図。
【発明を実施するための形態】
【００１０】
以下、図面を参照して本発明の実施の形態について詳細に説明する。
【００１１】
（第１の実施の形態）
図１は本発明の第１の実施の形態に係る医療情報記録装置が組み込まれた医療情報記録システムを示すブロック図である。
【００１２】
本実施の形態は医療情報を出力する装置として内視鏡プロセッサ１０を用いた例について説明する。内視鏡プロセッサ１０は、図示しない内視鏡等からの画像を取り込んで画像信号処理を行い、内視鏡画像等の医療画像を生成することができる。内視鏡プロセッサ１０からの医療画像は医療情報記録装置２０及びモニタ３０に供給される。
【００１３】
入力装置１１は、図示しないキーボードや内視鏡プロセッサ１０の本体に設けられたボタン、スイッチ（図示せず）等によって構成され、内視鏡プロセッサ１０の画像処理に対する指示操作や、患者情報の入力操作等を行うことができるようになっている。内視鏡プロセッサ１０は、この患者情報を医療情報記録装置２０に出力することができる。
【００１４】
また、内視鏡プロセッサ１０は、医療情報記録装置２０を制御するための制御情報を発生する。制御情報としては、動画像である医療画像の録画開始を指示する録画開始情報、その録画終了を指示する録画終了情報、静止画像である医療画像の録画を指示する静止画録画情報、検査の終了を指示する検査終了情報等がある。例えば、内視鏡プロセッサ１０は、内視鏡に設けられたレリーズボタンや録画開始ボタン等の各種スコープ操作に応答して、画像処理が制御されると共に、各種スコープ操作に応じた制御情報を発生して医療情報記録装置２０に出力することができるようになっている。
【００１５】
更に、内視鏡プロセッサ１０は、内視鏡等の出力に基づいて生成した医療画像に、患者情報をスーパーインポーズして出力することができる。この場合において、内視鏡プロセッサ１０は、患者情報に基づく表示領域と内視鏡画像に基づく表示領域とを有する医療画像を生成することもできる。
【００１６】
モニタ３０は、内視鏡プロセッサ１０からの医療画像を画面上に表示することができるようになっている。図１の例では、モニタ３０の画面右側の領域３１及び左側の領域３２〜３４に、夫々内視鏡画像、患者名、患者ＩＤ及び検査情報が表示されることを示している。
【００１７】
医療情報記録装置２０は、内視鏡プロセッサ１０との間で情報の授受を行うインターフェース（以下、Ｉ／Ｆという）２１及び内視鏡プロセッサ１０からの医療画像を取り込むＩ／Ｆ２２を有している。Ｉ／Ｆ２１は例えばＲＳ−２３２Ｃ規格に基づくインターフェースであり、Ｉ／Ｆ２２は画像伝送に適したインターフェースである。
【００１８】
Ｉ／Ｆ２１は、内視鏡プロセッサ１０からの患者情報及び制御情報を取り込んで制御部２３に与える。また、Ｉ／Ｆ２２は、内視鏡プロセッサ１０からの医療画像を取り込んで制御部２３に出力する。記録制御部としての制御部２３は、患者情報をメモリ２４に記憶させると共に、制御情報に基づいて医療画像の記録処理を制御する。
【００１９】
図２及び図３は、本実施の形態における医療画像の記録処理を説明するためのものである。図２は従来技術において想定される録画方法を説明するためのタイミングチャートであり、図２（ａ）は患者情報を示し、図２（ｂ）は録画開始情報を示し、図２（ｃ）は録画終了情報を示し、図２（ｄ）は静止画録画情報を示し、図２（ｅ）は検査終了情報を示し、図２（ｆ）は動画録画期間を示し、図２（ｇ）は静止画録画タイミングを示している。また、図３は本実施の形態における録画方法を説明するためのタイミングチャートであり、図３（ａ）は患者情報を示し、図３（ｂ）は録画開始情報を示し、図３（ｃ）は録画終了情報を示し、図３（ｄ）は静止画録画情報を示し、図３（ｅ）は検査終了情報を示し、図３（ｆ）はチャプタ情報を示し、図３（ｇ）は動画録画期間を示し、図３（ｈ）は静止画録画タイミングを示している。
【００２０】
制御部２３は、図３（ａ）に示す患者情報がＩ／Ｆ２１を介して入力されると、この患者情報をメモリ２４に与えて記憶させる。制御部２３は、図３（ｂ）に示す録画開始情報がＩ／Ｆ２１を介して入力されると、動画録画期間（図３（ｆ））を設定する。即ち、制御部２３は、Ｉ／Ｆ２２を介して入力される動画像の医療画像を内蔵ＨＤＤ２５に与えて記録させる。なお、本実施の形態においては、内蔵ＨＤＤ２５に医療画像を記録する例を説明するが、医療画像の記録先としては、外部ＨＤＤや各種記録メディアを選択することができることは明らかである。
【００２１】
医療画像の録画は、図３（ｃ）に示す録画終了情報が入力されるまで継続される。制御部２３は、録画終了情報が入力されると、動画録画期間を終了させ、医療画像の録画を終了させる。なお、図３（ｅ）に示す検査終了情報が入力されると、制御部２３は検査を終了する。
【００２２】
本実施の形態においては、制御部２３は、録画開始情報及び録画終了情報によって指定された動画録画期間の医療画像を１つの画像ファイルとして内蔵ＨＤＤ２５に記録させるようになっている。この場合において、制御部２３は、記録する医療画像のファイル名を患者情報に基づいて設定する。例えば、制御部２３は、患者ＩＤを記録する医療画像のファイル名とする。
【００２３】
また、制御部２３は、Ｉ／Ｆ２１を介して静止画録画情報が入力されると、このタイミング（図３（ｈ））でＩ／Ｆ２２を介して入力されている医療画像をキャプチャして静止画像を生成する。制御部２３は、静止画像を内蔵ＨＤＤ２５に与えて記録させる。なお、この場合においても、制御部２３は、記録する静止画像のファイル名を患者情報に基づいて設定する。
【００２４】
また、制御部２３は、静止画像については、キャプチャタイミングも併せて記録させることもできる。この場合には、制御部２３は、再生時において、キャプチャした静止画像を表示させると共に、表示させている静止画像のキャプチャタイミングに対応した再生位置から動画像を再生することが可能である。
【００２５】
図２及び図３の比較から明らかなように、これらの記録処理は従来技術において想定される記録処理と同様である。図２及び図３においては、動画録画期間において２人目の患者情報が入力されている。即ち、図２及び図３の動画録画期間において生成される動画の医療画像のファイルは、前半において１人目の患者の医療画像であり、後半において２人目の患者の医療画像である。即ち、１人目の患者の患者情報に基づくファイル名を有する医療画像の画像ファイルには、途中から２人目の患者の医療画像が含まれることになる。このように、画像ファイルの内容とそのファイル名から判断される患者とが対応しているとは限らず、内蔵ＨＤＤ２５に記録された画像ファイルを用いた症例の検索や管理は、極めて困難であることが考えられる。
【００２６】
当然のことながら、術者が、患者毎に、録画の開始及び終了を指示すれば、患者毎に画像ファイルが生成されるので特には問題は生じない。しかしながら、術中において、録画の開始及び終了操作をすることは、術者にとっては比較的煩雑な作業である。このため、患者が変わっても録画終了及び開始操作が行われないことが多く、１つの画像ファイル中に複数の患者の医療画像が混在することが多い。
【００２７】
なお、内視鏡プロセッサ１０からの医療画像中には、患者情報がスーパーインポーズされることもある。従って、記録された画像ファイルを再生し、再生画像中にスーパーインポーズされている患者情報を参照することで、再生中の動画部分がいずれの患者のものであるかを認識することは可能である。しかし、各患者の画像の記録位置を調べるためには、再生画像を再生して確認する必要があり、極めて煩雑である。
【００２８】
そこで、本実施の形態においては、内視鏡検査時に必ず入力される患者情報、例えば患者ＩＤの入力によって、チャプタを設定することで、患者毎の動画像の切れ目を容易に認識可能にしている。制御部２３は、図３（ｆ）に示すように、チャプタ情報を発生している。
【００２９】
本実施の形態においては、制御部２３は、Ｉ／Ｆ２１を介して患者情報、例えば、患者ＩＤの情報が入力されると、この入力をトリガとして、図３（ｆ）に示すように、チャプタ情報を生成するようになっている。例えば、制御部２３は、医療画像の録画開始点からの時間情報をチャプタ情報として生成する。制御部２３は、チャプタ情報を医療画像に対応させて内蔵ＨＤＤ２５に与えて記録させるようになっている。
【００３０】
例えば、制御部２３は、医療画像の記録位置の情報及びこの情報に対応させたチャプタ点の位置を示すチャプタ情報を生成する。このチャプタ情報を用いることで、再生時において、チャプタ点に再生位置をジャンプさせることができるようになっている。即ち、本実施の形態においては、図３（ｆ）に示すように、チャプタ情報が患者情報に入力に対応して設定されているので、再生時には、各患者に関する医療画像の録画先頭位置又はその近傍の位置に再生位置をジャンプさせることが可能である。
【００３１】
更に、本実施の形態においては、制御部２３は、Ｉ／Ｆ２１を介して患者情報、例えば、患者ＩＤの情報が入力されると、この入力をトリガとして、図３（ｈ）に示すように、静止画像を生成して記録するようになっている。
【００３２】
次に、このように構成された実施の形態の動作について図４のフローチャート及び図５の説明図を参照して説明する。
【００３３】
制御部２３は、図４のステップＳ１において、検査が開始されたか否かを判断する。例えば、患者情報の入力、録画開始操作、検査開始操作等の操作によって、制御部２３は検査が開始されたことを判断する。操作者が入力装置１１を操作して患者情報を入力するものとする。この患者情報は、内視鏡プロセッサ１０から医療情報記録装置２０に供給される。患者情報は、Ｉ／Ｆ２１を介して制御部２３に取り込まれ、メモリ２４に記録される（ステップＳ２）。
【００３４】
制御部２３は、入力された患者情報を解析し、患者情報に基づくフォルダ名の検査フォルダを内蔵ＨＤＤ２５内に作成する（ステップＳ３）。例えば、制御部２３は、患者ＩＤを含むフォルダ名の検査フォルダを作成する。
【００３５】
ここで、操作者が図示しない内視鏡や内視鏡プロセッサ１０等に設けられた録画開始ボタンを押して、録画開始を指示するものとする。この操作によって、内視鏡プロセッサ１０は、例えば内視鏡からの内視鏡画像に患者情報をスーパーインポーズして生成した医療画像を医療情報記録装置２０に出力すると共に、録画開始情報を発生して医療情報記録装置２０に出力する。制御部２３は、Ｉ／Ｆ２１を介して録画開始情報を受信すると、Ｉ／Ｆ２２を介して入力される医療画像を取り込んで、内蔵ＨＤＤ２５に与えて記録させる（ステップＳ４）。この場合には、制御部２３は、入力される医療画像に基づく動画像をファイル化し、患者情報に基づくファイル名を付して、ステップＳ３において作成した検査フォルダ内に作成する。
【００３６】
また、内視鏡や内視鏡プロセッサ１０等に設けられたレリーズボタンが押されると、内視鏡プロセッサ１０は、静止画録画情報を生成して医療情報記録装置２０に出力する。制御部２３は、Ｉ／Ｆ２１を介して静止画録画情報を受信すると、医療画像をキャプチャして静止画像データを生成して、内蔵ＨＤＤ２５に与えて記録させる。この場合には、制御部２３は、静止画像データをファイル化し、患者情報に基づくファイル名を付して、ステップＳ３において作成した検査フォルダ内に作成する（ステップＳ４）。
【００３７】
本実施の形態においては、制御部２３は、ステップＳ５において患者情報が入力されたか否かを判定し、ステップＳ７において録画終了情報又は検査終了情報が発生したか否かを判定する。即ち、制御部２３は、患者情報、録画終了情報又は検査終了情報が入力されるまでは、入力されている医療画像に基づく動画像ファイルの記録を継続する。
【００３８】
ここで、操作者が入力装置１１を操作して患者情報を入力するものとする。この患者情報は、内視鏡プロセッサ１０から医療情報記録装置２０の制御部２３に供給される。制御部２３は、入力された患者情報をメモリ２４に与えて記録させ、ステップＳ６において動画像の分割処理を行う。即ち、制御部２３は、患者情報の入力をトリガとして、チャプタ情報を生成する。このチャプタ情報は、入力されている医療画像の時間軸上の位置に対応したものであり、再生時においてこの位置にジャンプすることを可能にするものである。制御部２３は、生成したチャプタ情報を医療画像の動画像に対応させて内蔵ＨＤＤ２５に与えて記録させる。
【００３９】
即ち、本実施の形態における分割処理は、動画像ファイルを分割することなく１つの動画像ファイル中に複数の患者の医療画像を含むものであり、各患者毎の画像の切換り位置にチャプタを設定するものである。
【００４０】
更に、制御部２３は、患者情報の入力をトリガとして、入力されている医療画像をキャプチャして、静止画像データを生成して、内蔵ＨＤＤ２５に与えて記録させる。
【００４１】
図５はステップＳ６の分割処理によって得られる静止画像を示している。ステップＳ２において記録された患者情報が患者Ａについてのものであり、ステップＳ５において入力される患者情報が患者Ｂについてのものであるものとする。この場合には、動画像及び静止画像のファイルのファイル名は、いずれも患者Ａの患者情報に基づくものとなっている。しかし、図５に示すように、分割処理によって得られる静止画像は、画面右側の領域４１及び左側の領域４２〜４４に、夫々、患者Ｂに基づく内視鏡画像、患者Ｂの患者名、患者Ｂの患者ＩＤ及び患者Ｂの検査情報を有するものである。従って、分割処理によって得られる静止画像を参照することで、いずれの患者の静止画像であるかを容易に認識可能である。
【００４２】
即ち、ステップＳ６の分割処理によって、患者情報の入力タイミングで、チャプタが設定されると共に、静止画像が記録される。設定されたチャプタによって、記録されている医療画像の撮影対象の患者の切換り点を容易に検索することができ、その医療画像中に表示される患者情報によっていずれの患者の医療画像の開始点であるかを容易に判別することができる。また、例えば、記録された静止画像を記録順に表示することで、いずれの静止画像から記録対象の患者が切換ったかを把握することができる。
【００４３】
制御部２３は、ステップＳ７において検査終了情報が入力されたことを検出した場合には、ステップＳ８において記録している医療画像のファイル化を終了して所定の検査終了処理を行った後、検査を終了する。なお、制御部２３は、ステップＳ７において録画終了情報が入力されたことを検出した場合には、記録している医療画像のファイル化を終了し、次の症例記録処理まで待機する。
【００４４】
このように本実施の形態においては、症例記録時に必ず行われる患者情報の入力をトリガとして、記録している医療画像にチャプタを設定しており、同一画像ファイル中に複数の患者の医療画像が含まれる場合でも、その切換り点を簡単に認識することができる。これにより、患者毎の医療画像の検索や管理が容易である。例えば、患者毎の切換り点への移動が容易であるので、患者毎のファイルに分割する編集処理等を簡単に行うことができる。また、患者情報の入力をトリガとして、静止画像が自動的に記録されるので、静止画像からいずれの患者の記録であるかを容易に認識することもできる。
【００４５】
なお、本実施の形態においては、動画と静止画には、患者ＩＤに基づく患者の情報がスーパーインポーズされている。従って、チャプター情報を利用して、再生位置をジャンプさせながら動画上に表示される患者情報を参照することにより、或いは、チャプタ点でキャプチャされた静止画を参照することにより、比較的短時間で且つ容易に、患者が切換る動画像の分岐点に移動することが可能である。
【００４６】
また、本実施の形態においては、医療画像の動画像ファイル及び静止画像の画像ファイルのいずれも、録画開始前に設定された患者に対応したファイル名になっている。例えば、入力装置１１を構成するキーボードを不用意に触ってしまった場合等のように、間違って患者情報が入力されることが考えられる。この場合でも、本実施の形態においては、ファイル名が正しい患者情報に対応したものとなっており、検索及び管理上不具合が生じることがない。
【００４７】
（第２の実施の形態）
図６は本発明の第２の実施の形態において採用される動作フローを示すフローチャートである。また、図７は本実施の形態における録画方法を説明するためのタイミングチャートであり、図７（ａ）は患者情報を示し、図７（ｂ）は録画開始情報を示し、図７（ｃ）は録画終了情報を示し、図７（ｄ）は静止画録画情報を示し、図７（ｅ）は検査終了情報を示し、図７（ｇ）は動画録画期間を示し、図７（ｈ）は静止画録画タイミングを示している。また、図８は内蔵ＨＤＤ２５に記録されるファイルをファイルマネージャ等のツールによって表示した状態を示している。
【００４８】
本実施の形態のハードウェア構成は、図１の実施の形態と同様である。本実施の形態は、制御部２３における記録処理制御、特に図４の分割処理が異なるのみである。即ち、本実施の形態においては、患者情報の入力をトリガとして、動画ファイルを分割すると共に、記録する動画ファイル及び静止画ファイルのファイル名を、記録対象の患者に対応したものに自動的に変更する点が第１の実施の形態と異なる。
【００４９】
本実施の形態においては図４のステップＳ４〜Ｓ７に代えて図６のフローを採用する。図４のステップＳ３において患者の検査フォルダが作成されると、制御部２３は、図６のステップＳ１１において患者の録画を開始する。制御部２３は、次のステップＳ１２において、静止画の記録を指示するための静止画録画情報が入力された否かを判定する。静止画録画情報が入力されると、制御部２３は、入力されている医療画像をキャプチャして、静止画像の画像ファイルを生成する（ステップＳ１３）。
【００５０】
いま、図４のステップＳ２において、図７（ａ）の患者Ａについての患者情報が入力されているものとする。図７（ｄ）は静止画録画情報を示しており、患者Ａについて３回の静止画録画情報Ａ１〜Ａ３が発生したものとする。制御部２３はこれらの静止画録画情報Ａ１〜Ａ３に対応して、図７（ｈ）に示すように、タイミングＡ１〜Ａ３において静止画像を生成する。制御部２３はこれらの各タイミングで生成した静止画の画像ファイルについて、患者情報及び録画順に応じたファイル名を付す。
【００５１】
図８は制御部２３が付すファイル名の一例を示すものであり、ファイルマネージャ等のツールによって作成日時順に昇順に表示した例を示している。図８の例では、患者Ａに対応して、タイミングＡ１〜Ａ３について、夫々「患者Ａ静止画ファイル１」、「患者Ａ静止画ファイル２」及び「患者Ａ静止画ファイル３」が記録されたことを示している。
【００５２】
次のステップＳ１４においては、制御部２３によって、検査終了情報入力又は録画終了情報入力が発生したか否かが判定される。検査終了情報入力又は録画終了情報入力が発生した場合には、制御部２３は、記録している動画像をファイル化して処理を終了する（ステップＳ１９）。
【００５３】
次のステップＳ１５においては、制御部２３は患者情報入力が発生したか否かを判定する。即ち、次の患者情報、検査終了情報又は録画終了情報が入力されるまでは、静止画の画像ファイルには、患者Ａの患者情報に基づくファイル名が付される。
【００５４】
ここで、図７（ａ）に示すように、患者Ｂについての患者情報が入力されるものとする。制御部２３は、患者情報が入力されると、ステップＳ１６，Ｓ１７において、患者の動画ファイルを作成し、患者情報を記録する。即ち、制御部２３は、患者Ａについて記録していた動画像の医療画像をファイル化し、患者Ａの患者情報に応じたファイル名を付して内蔵ＨＤＤ２５に記録する。即ち、患者情報の入力をトリガとして、患者Ａについての動画像の記録が終了することになる。こうして、図８に示すように、内蔵ＨＤＤ２５には、「患者Ａ動画ファイル１」というファイル名で、患者Ａの内視鏡画像が記録される。
【００５５】
更に、本実施の形態においては、ステップＳ１８において、患者情報の入力をトリガとして、入力されている医療画像がキャプチャされて静止画像として記録される。即ち、患者Ｂの患者情報の入力によって、患者Ｂの静止画が自動的に記録される。この場合においても、記録される静止画像には、患者情報に基づくファイル名が付される。例えば、図８に示すように、「患者Ｂ静止画ファイル１」というファイル名で患者Ｂの静止画像が内蔵ＨＤＤ２５に記録される。
【００５６】
以後、ステップＳ１１〜Ｓ１９の動作が繰り返される。即ち、ステップＳ１１において、患者Ｂについての医療画像の録画が開始される。図７の例では、患者Ｂの患者情報の入力後において４回静止画録画情報Ｂ２〜Ｂ５が発生したことを示している。制御部２３はこれらの静止画録画情報Ｂ２〜Ｂ５に対応して、図７（ｈ）に示すように、タイミングＢ２〜Ｂ５において静止画像を生成する。制御部２３はこれらの各タイミングで生成した静止画の画像ファイルについては、図８に示すように、夫々「患者Ｂ静止画ファイル２」、「患者Ｂ静止画ファイル３」、「患者Ｂ静止画ファイル４」及び「患者Ｂ静止画ファイル５」というファイル名で記録したことを示している。また、図７（ｃ）の録画終了情報が発生することにより、制御部２３は、患者Ｂの医療画像の動画像をファイル化する（ステップＳ１９）。この場合のファイル名は、図８に示すように、「患者Ｂ動画ファイル１」である。
【００５７】
このように本実施の形態においては、症例記録時に必ず行われる患者情報の入力をトリガとして、記録している医療画像を分割し、患者情報に対応したファイル名を付して記録する。また、患者情報入力によって、以後の医療画像の動画像及び静止画像の画像ファイルについては、新たな患者情報に基づくファイル名に変更する。なお、患者情報の入力によって静止画像を生成する点は第１の実施の形態と同様である。
【００５８】
これにより、本実施の形態においても第１の実施の形態と同様の効果を得ることができる。また、本実施の形態においては、動画像ファイルが患者毎に分割され、患者情報に応じたファイル名が付されることから、各動画像ファイルがいずれの患者のものであるかを容易に識別可能であり、検索及び管理が容易である。また、パーソナルコンピュータ等のファイルマネージャツール等を用いて時系列に表示させた場合には、各患者毎の画像ファイルがまとまって表示されることから、各動画像ファイルと患者との対応を容易に認識可能である。
【００５９】
なお、本実施の形態においては、患者情報の入力によって、動画像ファイルを分割すると共に、動画像及び静止画像のファイル名についても患者情報に基づくファイル名に変更する例について説明したが、ファイル名については最初の患者情報に基づくファイル名のままにしてもよく、また、動画像及び静止画像の一方だけ新たな患者情報に基づくファイル名に変更しても良い。更に、患者情報が入力された場合でも、検査フォルダについては新規に作成することなく、作成済みの患者についての検査フォルダを利用して、新たな患者を対象とする画像ファイルの格納場所としたが、患者情報の入力によって、その患者用の検査フォルダを作成して、その患者の画像ファイルについては作成した検査フォルダに格納するようにしてもよい。
【００６０】
なお、本発明においては、患者情報の入力をトリガとして、記録中の動画像の対象が別の患者になった位置を把握可能にするものである。従って、このための分割処理としては上記各実施の形態の他にも種々の方法が考えられ、例えば、患者情報の入力によって、所定期間だけ特定の画像を記録する等の分割処理を行っても良い。
【符号の説明】
【００６１】
１０内視鏡プロセッサ、１１…入力装置、２０…医療情報記録装置、２３…制御部、２５…内蔵ＨＤＤ、３０…モニタ。
【図１】
0005551522.tif 000002
【図２】
0005551522.tif 000003
【図３】
0005551522.tif 000004
【図４】
0005551522.tif 000005
【図５】
0005551522.tif 000006
【図６】
0005551522.tif 000007
【図７】
0005551522.tif 000008
【図８】
0005551522.tif 000009